【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
互いに直列に接続された第１発光デバイス（ＬＥＤ）の第１チャンネルと、
互いに直列に接続された第２ＬＥＤの第２チャンネルであって、前記第２ＬＥＤの少なくとも１つが、前記第１ＬＥＤの少なくとも１つとは異なる色及び異なる色温度の少なくとも一方を有する第２チャンネルと、
前記第１チャンネル及び第２チャンネルのＬＥＤを駆動するドライバと、
を有する装置であって、前記ドライバが、
第１ＤＣ電圧を入力し、第２ＤＣ電圧を出力するフライバックコンバータと、
前記第２ＤＣ電圧を入力し、前記第１チャンネルのＬＥＤを介して第１電流を流させると共に前記第２チャンネルのＬＥＤを介して第２電流を流させる出力電圧を発生するバックコンバータと、
前記第２チャンネルのＬＥＤを介して流れる前記第２電流を制御信号に応答して制御するパルス幅変調器であって、前記第２チャンネルのＬＥＤを介して流れる前記第２電流を制御するための前記制御信号が前記フライバックコンバータ及び前記バックコンバータの一方におけるインダクタ巻線から生成されるパルス幅変調器と、
前記第１電流及び前記第２電流の少なくとも一方をサンプリングし、これに応答して前記バックコンバータのスイッチング動作を制御するフィードバック装置と、
を含む装置。
【請求項２】
請求項１に記載の装置であって、前記制御信号が生成される前記インダクタ巻線が、前記フライバックコンバータにおけるトランスの一次巻線である装置。
【請求項３】
請求項１に記載の装置であって、前記制御信号が生成される前記インダクタ巻線が、前記フライバックコンバータにおけるトランスの二次巻線である装置。
【請求項４】
請求項１に記載の装置であって、前記制御信号が生成される前記インダクタ巻線が、前記バックコンバータのインダクタ巻線である装置。
【請求項５】
請求項１に記載の装置であって、前記第１ＬＥＤの少なくとも１つが白色光を放出し、前記第２ＬＥＤの少なくとも１つが非白色の有色光を放出する装置。
【請求項６】
請求項１に記載の装置であって、前記第１ＬＥＤの第１チャンネルが前記第２ＬＥＤの第２チャンネルと直列に接続される装置。
【請求項７】
請求項１に記載の装置であって、前記第１及び第２ＬＥＤの少なくとも１つの温度を感知し、これに応答して、前記出力電圧を調整するためのフィードバック信号を発生する温度センサを更に有する装置。
【請求項８】
請求項１に記載の装置であって、前記第１及び第２ＬＥＤにより生成される光を感知し、これに応答して、前記出力電圧を調整するためのフィードバック信号を発生する光センサを更に有する装置。
【請求項９】
互いに直列に接続された光源の第１グループと、
互いに直列に接続された光源の第２グループであって、前記第１グループの光源は、前記第２グループの光源と直列に接続され、前記第２グループの光源の少なくとも１つが、前記第１グループの光源の少なくとも１つとは異なる色及び異なる色温度の少なくとも一方を有する第２グループと、
前記第１グループ及び第２グループの光源を駆動するドライバと、
を有する装置であって、前記ドライバが、
第１ＤＣ電圧を入力し、前記第１グループの光源を介して第１電流を流させると共に前記第２グループの光源を介して第２電流を流させる出力電圧を出力するＤＣ／ＤＣコンバータと、
前記第２グループの光源を介して流れる前記第２電流を制御信号に応答して制御する制御装置と、
を含み、前記第２グループの光源を介して流れる前記第２電流を制御するための前記制御信号が前記ＤＣ／ＤＣコンバータにより生成される装置。
【請求項１０】
請求項９に記載の装置であって、前記制御装置が、前記第２グループの光源を介して流れる前記第２電流を前記制御信号に応答して前記第２グループの光源の１以上の間で前記第２電流を分路することにより制御するパルス幅変調器を有する装置。
【請求項１１】
請求項９に記載の装置であって、前記第２グループの光源が、前記第１グループの光源とは異なる色及び異なる色温度の一方を有する装置。
【請求項１２】
請求項９に記載の装置であって、前記ＤＣ／ＤＣコンバータがフライバックコンバータを含み、前記第２グループの光源を介して流れる前記第２電流を制御するための前記制御信号が前記フライバックコンバータにおけるトランスの巻線により生成される装置。
【請求項１３】
請求項９に記載の装置であって、前記ＤＣ／ＤＣコンバータがバックコンバータを含み、前記第２グループの光源を介して流れる前記第２電流を制御するための前記制御信号が前記バックコンバータにおけるインダクタ巻線により生成される装置。
【請求項１４】
請求項９に記載の装置であって、前記ドライバが、前記第１電流及び前記第２電流の少なくとも一方をサンプリングし、これに応答して前記ＤＣ／ＤＣコンバータのスイッチング動作を制御するフィードバック装置を更に有する装置。
【請求項１５】
請求項９に記載の装置であって、前記ドライバが、前記第１及び第２グループの光源の少なくとも１つにより放出される温度及び光の一方を感知し、これに応答して、前記ＤＣ／ＤＣコンバータの前記出力電圧を調整するためのフィードバック信号を発生するセンサを更に有する装置。
【請求項１６】
複数の光源に電流を供給するドライバであって、
第１ＤＣ電圧を入力し、前記光源を介して電流を流させる出力電圧を出力するＤＣ／ＤＣコンバータと、
前記光源の一部を介して流れる電流を制御信号に応答して制御する制御装置であって、前記光源の一部を介して流れる前記電流を、前記制御信号に応答して前記光源の１以上の間で前記電流を分路することにより制御するパルス幅変調器を有する制御装置と、
を含み、前記光源を介して流れる電流を制御するための前記制御信号が、前記ＤＣ／ＤＣコンバータにより生成されるドライバ。
【請求項１７】
請求項１６に記載のドライバであって、前記ＤＣ／ＤＣコンバータがフライバックコンバータを含み、前記制御信号が前記フライバックコンバータにおけるトランスの巻線により生成されるドライバ。
【請求項１８】
請求項１６に記載のドライバであって、前記ＤＣ／ＤＣコンバータがバックコンバータを含み、前記制御信号が前記バックコンバータにおけるインダクタ巻線により生成されるドライバ。
【請求項１９】
請求項１６に記載のドライバであって、前記電流をサンプリングし、これに応答して前記ＤＣ／ＤＣコンバータのスイッチング動作を制御するフィードバック装置を更に有するドライバ。
【手続補正２】
【補正対象書類名】明細書
【補正対象項目名】０００９
【補正方法】変更
【補正の内容】
【０００９】
一般的に、他の態様において、装置は、互いに直列に接続された光源の第１グループと、互いに直列に接続された光源の第２グループと、上記第１及び第２グループの光源を駆動するためのドライバとを含む。第２グループの光源のうちの少なくとも１つは、第１グループの光源のうちの少なくとも１つとは異なる色又は色温度を有する。上記ドライバは、ＤＣ／ＤＣコンバータと、制御装置とを含む。該ＤＣ／ＤＣコンバータは、第１ＤＣ電圧を入力し、出力電圧を出力するように構成される。該出力電圧は、第１グループの光源を介して第１電流を流すと共に、第２グループの光源を介して第２電流を流す。上記制御装置は、第２グループの光源に供給される上記第２電流を制御信号に応答して制御するように構成される。上記ＤＣ／ＤＣコンバータが、該制御信号を生成する。
【手続補正３】
【補正対象書類名】明細書
【補正対象項目名】００１０
【補正方法】変更
【補正の内容】
【００１０】
幾つかの実施例において、上記制御装置はパルス幅変調器を含み、該パルス幅変調器は第２グループの光源を介して流れる第２電流を、上記制御信号に応答して該第２電流を第２光源のうちの１以上に対して分路することにより制御する。また、第２光源は第１光源とは異なる色又は色温度を有することができる。
【手続補正４】
【補正対象書類名】明細書
【補正対象項目名】００１１
【補正方法】変更
【補正の内容】
【００１１】
一実施例において、上記ＤＣ／ＤＣコンバータはフライバックコンバータを含む。第２グループの光源を介して流れる電流を制御するための上記制御信号は、該フライバックコンバータ内のトランスの巻線により生成される。他の実施例において、上記ＤＣ／ＤＣコンバータはバックコンバータを含む。第２グループの光源を介して流れる電流を制御するための上記制御信号は、該バックコンバータ内のインダクタ巻線により生成される。